(57)【要約】  デイスプレイ、ユーザ入力装置およびデイスプレイとユーザ入力装置間の通信をなすコントロールユニットにて構成される監視システム用ワークステーションである。ユーザ入力装置は複数のキーと複数の異なるカラーにしたキーを照明する光源を有している。コントロールユニットはデイスプレイ上にイメージを生成させるもので、そのデイスプレイはコントロールユニットにて遂行される機能をシンボル化した各アイコンと複数の異なるカラーのアイコンを有している。コントロールユニットはユーザ入力装置にコントロール信号を発生し、デイスプレイ上イメージ内のアイコンのカラーに対応するカラーでユーザ入力装置内の複数のキーを照明する光源を起動する。コントロールユニットは複数の異なるカラー化したアイコンから特定のアイコンに相当するコントロール機能を実行するもので、それはユーザが特定のアイコンのカラーに相当するカラーを有した複数のキーからあるキーを起動させたときになされる。【選択図】図３
2008500641.tif 000002
【特許請求の範囲】
【請求項１】
デイスプレイ、ユーザ入力装置および前記デイスプレイとユーザ入力装置間の通信をなすコントロールユニットにて構成され、前記ユーザ入力装置は複数のキーと複数の異なるカラーでキーを照明する光源を有し、前記コントロールユニットは前記デイスプレイ上にイメージを生じさせ、そのデイスプレイはコントロールユニットにより遂行される機能をシンボル化した各アイコンと複数の異なるカラーにしたアイコンを有し、前記コントロールユニットはデイスプレイ上のイメージ内のアイコンのカラーに対応するカラーでユーザ入力装置内の複数のキーを照明する光源を起動するためにユーザ入力装置にコントロール信号を生成し、前記コントロールユニットは特定のアイコンのカラーに相当するカラーを有する複数のキーからあるキーをユーザが起動させたときに複数の異なるカラー化したアイコンから特定のアイコンに対応するコントロール機能を遂行するようにした監視システム用ワークステーション。
【請求項２】
コントロールユニットは、ユーザ入力装置内の複数のキーを照明する光源を起動するために、デイスプレイ上イメージ内のアイコンのカラーと同一カラーオーダで前記ユーザ入力装置にコントロー信号を生成するようにした請求項１記載のワークステーション。
【請求項３】
ユーザ入力装置上の複数の照明されたキーの一つを起動するユーザに応じて、コントロールユニットはデイスプレイ上に表示された前のイメージよりもコントロールユニットにて遂行される異なった機能をシンボル化した少なくともある種のアイコンと複数の異なるカラー化アイコンを有する前記デイスプレイ上に第二のイメージを生成させるようにした請求項１記載のワークステーション。
【請求項４】
デイスプレイ上イメージ内の複数のカラー化したアイコンの一つを起動するユーザに応じて、前記コントロールユニットはデイスプレイ上に表示された先のイメージよりもコントロールユニットにて遂行される異なった機能をシンボル化した少なくともある種のアイコンと複数の異なるカラー化アイコンを有する前記デイスプレイ上に第二のイメージを生成させるようにした請求項１記載のワークステーション。
【請求項５】
光源は発光ダイオードからなる請求項１記載のワークステーション。
【請求項６】
発光ダイオードは赤、青、緑にて成る請求項５記載のワークステーション。
【請求項７】
デイスプレイと、ユーザ入力装置およびデイスプレイとユーザ入力装置間の通信をなすコントロールユニットとから構成され、前記ユーザ入力装置は複数のキーとそのキーを照明する光源を有し、前記コントロールユニットはそのコントロールユニットにより遂行される機能をシンボル化する各アイコンと複数の異なるアイコンを有するデイスプレイ上にイメージを生成させ、前記コントロールユニットはスクリーンの明滅でアラーム状態を表すアイコンが起動するアラーム状態が起こったときコントロール信号を生成し、およびアラーム状態を開放するためにユーザ入力を要求するキーの照明を明滅させるためにユーザ入力装置内の光源を起動させる信号を生成するようにした監視システム用ワークステーション。
【請求項８】
コントロールユニットは、デイスプレイ上に異なるカラーでアイコンを表示するコントロール信号を生成し、コントロールユニットは明滅アイコンのカラーに対応するカラーで明滅アイコンに対応するキーを照明する光源を起動するコントール信号を生成するようにした請求項７記載のワークステーション。
【発明の詳細な説明】
【技術分野】
【０００１】
発明の背景
この発明は監視システムに関し、特に監視システムに使用するワークステーションに関する。ここに使用される監視システムは、ビル管理、警備システムを含むものである。
【０００２】
従来の監視システムワークステーションは、コントローラのキーボードの幅広いファンクションキーの記憶をユーザに要求し、確実に望まれる機能を操作する事はユーザにとっては扱いが難しいものであった。さらに、これらのキーは特殊な機能を有しており、それはデイスプレイの変更をユーザインターフェイスとして変更ができず、そのため機能付加の可能性が遂行できないものである。さらに、従来のシステムは、モニタに現れるユーザインターフェイスに対しユーザ入力装置で得られるべき操作に関連したユーザ手順を提供しないからである。したがって、これらは監視システムで使用するための改善されたワークステーションが必要とされており、それはユーザへのよりゆったりした使用感が備えられたものである。
【０００３】
発明の概要
この発明によれば、それはデイスプレイ、ユーザ入力装置そしてデイスプレイとユーザ入力装置間の通信をなすコントロールユニットにて構成する監視システム用ワークステーションを提供するものである。ユーザ入力装置は、複数のキーと複数のカラーにてそのキーを照明する光源を有している。コントロールユニットはデイスプレイ上にイメージを生成させるもので、そのデイスプレイはコントロールユニットで遂行される機能をシンボル化した各のアイコンと複数の異なるカラー化アイコンを有する。コントロールユニットは、ユーザ入力装置にコントロール信号を生成するもので、それはデイスプレイ上のイメージ内のアイコンカラーに対応するカラーでユーザ入力装置内の複数のキーの光源を点灯させる信号である。コントロールユニットは、異なるカラーにした複数のアイコンから特定のアイコンに対応するコントロール機能を成すもので、それはユーザが特定のアイコンのカラーに相当するカラーを有した特定のキーによるキーを起動したときである。
【０００４】
この発明によれば、それはデイスプレイ、ユーザ入力装置そしてデイスプレイとユーザ入力装置間の通信をなすコントロールユニットにて構成する監視システム用ワークステーションをさらに提供するものである。ユーザ入力装置は複数のキーとキーを照明する光源を有している。コントロールユニットはデイスプレイ上にイメージを生成させ、そのデイスプレイはコントロールユニットにより遂行される機能をシンボル化した各アイコンと複数の異なったアイコンを有している。コントロールユニットはスクリーンの明滅でアラーム状態のアイコン表示を起動させるアラーム状態が起こっているときにコントロール信号を生成し、かつキー内照明が明滅するユーザ入力装置内の光源を起動させる信号を生成するがそれはアラーム状態を開放するためにユーザ入力が要求されるときである。
【０００５】
この発明の他の優位性および応用は、発明の好ましい態様についてした詳細な説明にて明らかになる。
【０００６】
この発明のより完全な理解と付随した優位性および特徴は、次の詳細な説明、添付の図面を参照することでより容易に理解される。
【０００７】
発明の詳細な説明
図１について説明すると、警備システム10はこの発明によるユーザワークステーション12を付加して示してある。ユーザワークステーション12は、入力装置14を備え、コントロールユニット16およびデイスプレイ18がネットワーク20にて接続されている。それは、近接ネットワーク、ローカルエリアネットワークあるいはインターネットのような広域ネットワークである。ユーザ入力装置14とデイスプレイ18は近接して位置しており、そうすることでユーザがユーザ入力装置14を操作する間、デイスプレイ18のイメージを見ることができるようになっている。一方、マイクロプロセッサー、メモリーおよびプログラムインストラクションを備えたコントロールユニット16は、監視システム10内のいずれかに位置させることができる。コントロールユニット16と組合せたユーザ入力装置14からの入力は、カメラ22、24およびビデオストレージ26の動作を既に知られた技術にてコントロールする。
【０００８】
図２において、デイスプレイ18はイメージ20にて示され、それはビデオデータ22および長方形や特殊な形のアイコン24、26そして28を含んでいる。アイコン24、26そして28は、イメージ20内に異なる機能をシンボル化した異なるカラーをもってコントロールユニット16にて表示され、それは例えばカメラの選択である。イメージ20はまたポインタ30を有し、それはアイコン24、26そして28の選択、動作のためにジョイステイック、マウスあるいはキーパッドにて動かすことができる。
【０００９】
ユーザ入力装置14は、図３、図４にその詳細が示してある。ユーザ入力装置14はキー32、34そして36を有し、それは透明なアクリルあるいは他の適切な素材にて形成してある。赤、グリーンそしてブルーの発光ダイオードのような光源40は、各キー32、34および36の下に位置し、そうすることでコントロールユニット16は、適切なカラーで適切なキーを点灯するユーザ入力装置14にコントロール信号を供給でき、各キー32、34および36のカラーがアイコン24、26そして28のカラーに夫々対応するものとなる。図４は光源がキー32の下にどのように位置しているかの概要を示したもので、光源40がコントロールユニット16からのコントロール信号で起動されているときに適切な発光ダイオードまたはダイオードが起動され、そうすることでキー32はアイコン24のカラーに対応する適切なカラーになる。キー32、34および36のカラーは、アイコン24、26そして28と上記のように同一オーダでも異なっていても良い。ユーザ入力装置14は、さらに既に知られているような技術で幅広いコントロール機能を果たすジョイステイック38を有している。
【００１０】
キー32、34および36が起動すると、アイコン24、26そして28で示された対応の機能が働き、図５に示すようにデイスプレイ18に新しいイメージ42が現れる。イメージ42はビデオデータ22内に留まるが、新しいアイコン44、46および48はユーザに新しい機能を提供するための表示がされる。図５では三つの新しいアイコンが示されているが、総てのアイコンの変化は必ずしも必要ではない。それは、コントロールユニット16が、押圧されたキーで実施される機能を基に表示される適切なイメージを表すためのコントロール信号を提供するからである。
【００１１】
コントロールユニット16はコントロール信号を生成するが、それはアラーム状態が、スクリーン上の明滅でアラーム状態を表すアイコンに生じたときである。さらに、コントロールユニット16は適正なキー内の光源40に明滅を起こさせる信号を生成し、それはユーザがアラーム状態から開放するために押圧が必要なキーに相当するキーである。したがって、ユーザ入力装置14の適正なキーは、それが明滅するのでユーザは速やかに認識できる。さらに、コントロールユニット16は、スクリーン上の明滅アイコンのカラーに相当するカラーにて明滅キーを照明できる。
【００１２】
この発明の改変および修正は、発明の範囲から逸脱することなく達成できることが理解される。さらに、発明の範囲は、ここに開示した詳細な態様に制限されるように解釈されるものではなく、また先の開示を考慮して理解される特許請求の範囲によってのみ解釈されるということが理解される。
【００１３】
この発明は、先に特に示されかつ述べられてきたことに制限されないということが当業者によって理解されるであろう。加えて、特別な記載がない限り、添付の図面は一定の比率ではないことに注意すべきである。多様な修正、改変はこの発明の概念、範囲を逸脱することなく上記の教示を考慮して可能であり、以下の特許請求の範囲によってのみ制限されるものである。
【図面の簡単な説明】
【００１４】
【図１】この発明のよるワークステーションのブロック図
【図２】この発明によるワークステーションのスクリーンデイスプレイのブロック図
【図３】この発明によるワークステーションのユーザ入力装置のブロック図
【図４】図３に示すユーザ入力装置の部分断面ブロック図
【図５】この発明によるワークステーションのスクリーンデイスプレイのブロック図
【符号の説明】
【００１５】
10：監視システム
12：ユーザワークステーション
14：入力装置
16：コントロールユニット
18：デイスプレイ
20：ネットワーク
30：ポインタ
40：光源
【図１】
2008500641.tif 000003
【図２】
2008500641.tif 000004
【図３】
2008500641.tif 000005
【図４】
2008500641.tif 000006
【図５】
2008500641.tif 000007